(57)【要約】【課題】堅牢性を向上させる。【解決手段】実施形態によれば、テレビジョン受像機は、筐体と、前記筐体内に収容され、第１の支持面と、前記第１の支持面の反対側に位置する第２の支持面と、第１の端部と、前記第１の端部の反対側に位置する第２の端部と、前記第１の端部と前記第２の端部とを繋ぐ第３の端部と、前記第３の端部の反対側に位置する第４の端部とを有し、前記第１の支持面から前記第２の支持面に貫通する複数の開口部を有する支持部材とを備える。さらに、前記受像機は、前記支持部材の前記第１の支持面上の第１の電子部品と、前記支持部材の前記第２の支持面上の第２の電子部品とを備える。さらに、前記支持部材は、前記開口部同士の間に設けられた梁を含む。さらに、前記梁は、前記第１または第３の端部に平行な第１の梁部分と、前記第１および第３の端部に非平行な第２の梁部分とを含む。【選択図】  図１７
2013055166.tif 000002
【特許請求の範囲】
【請求項１】
第１開口部が設けられた第１筐体と、
第２開口部が設けられ、前記第１筐体と組み合わされた第２筐体と、
前記第１筐体と前記第２筐体との間に位置されて、前記第１筐体と前記第２筐体との重なり方向で前記第１開口部と前記第２開口部とに連通した第３開口部と、この第３開口部の周囲を囲むとともに前記第２筐体の内面に向かって突出した筒状の囲み部とが設けられた基板と、
前記第２筐体の内面から、前記囲み部の内側に挿入された突出部と、
前記第１筐体側から前記第１開口部と前記第２開口部と前記第３開口部と前記開口部内を通るとともに、前記突出部に固定された固定部材と、
前記第１筐体に設けられ、前記第１開口部を覆った覆い部材と、
を備えたテレビジョン受像機。
【請求項２】
請求項１の記載において、
前記基板の一面は、前記第１筐体の内面と当接したテレビジョン受像機。
【請求項３】
請求項２の記載において、
前記基板と当接された前記第１筐体の壁には、第４の開口部が設けられ、
前記基板の一面には、前記第４の開口部内に位置して、前記基板表面から突出された電子部品が設けられたテレビジョン受像機。
【請求項４】
請求項２または３の記載において、
前記基板の一面とは反対側の他の面には、前記基板と該基板と離間された前記第２筐体の内面との間に延びた第２電子部品が設けられ、
前記基板を外れた位置で、前記第１筐体と前記第２筐体との間に延びた第２電子部品が設けられたテレビジョン受像機。
【請求項５】
請求項２または３の記載において、
前記第４の開口部は、６角形状を有した開口であり、前記基板表面から突出された電子部品は、前記第４の開口部の形状に沿って配置されたテレビジョン受像機。
【請求項６】
第１開口部が設けられた第１筐体と、
第２開口部が設けられ、前記第１筐体と組み合わされた第２筐体と、
前記第１筐体と前記第２筐体との間に位置されて、前記第１筐体と前記第２筐体との重なり方向で前記第１開口部と前記第２開口部とに連通した第３開口部と、この第３開口部の周囲を囲むとともに前記第２筐体の内面に向かって突出した筒状の囲み部とが設けられた基板と、
前記第２筐体の内面から、前記囲み部の内側に挿入された突出部と、
前記第１筐体側から前記第１開口部と前記第２開口部と前記第３開口部と前記開口部内を通るとともに、前記突出部に固定された固定部材と、
前記第１筐体に設けられ、前記第１開口部を覆った覆い部材と、
を備えた電子機器。
【請求項７】
請求項６の記載において、
前記基板の一面は、前記第１筐体の内面と当接した電子機器。
【請求項８】
請求項６または７の記載において、
前記覆い部材は、外部入力を受け付ける部品である電子機器。
【請求項９】
筐体と、
開口部と、該開口部の周りから突出された突出部とが設けられ、前記筐体に少なくとも一部が収容された基板と、
前記開口部内を通り、前記筐体の内面に面した固定部と、
前記筐体側から前記開口部内を通り、前記固定部に固定された部品と、
を備えた電子機器。
【請求項１０】
第１部材と、
開口部と、該開口部の周囲と前記第１部材との間に延びた延部とが設けられ、前記第１部材と重なった部品と、
前記第１部材とは反対側から前記部品と重なるとともに、前記部品の表面と少なくとも一部が接した第２部材と、
前記開口部内を通り、前記第１部材と前記第２部材と前記部品とを固定した固定部と、
を備えた電子機器。
【発明の詳細な説明】
【技術分野】
【０００１】
本発明の実施形態は、テレビジョン受像機および電子機器に関する。
【背景技術】
【０００２】
テレビジョン受像機などの電子部品には回路基板が収容される。これらの機器では、薄型化が求められる。
【先行技術文献】
【特許文献】
【０００３】
【特許文献１】特開２００３−８７３７８号公報
【発明の概要】
【発明が解決しようとする課題】
【０００４】
薄型化を実現させる。
【課題を解決するための手段】
【０００５】
一の実施形態によれば、第１開口部が設けられた第１筐体と、第２開口部が設けられ、前記第１筐体と組み合わされた第２筐体と、前記第１筐体と前記第２筐体との間に位置されて、前記第１筐体と前記第２筐体との重なり方向で前記第１開口部と前記第２開口部とに連通した第３開口部と、この第３開口部の周囲を囲むとともに前記第２筐体の内面に向かって突出した筒状の囲み部とが設けられた基板と、前記第２筐体の内面から、前記囲み部の内側に挿入された突出部と、前記第１筐体側から前記第１開口部と前記第２開口部と前記第３開口部と前記開口部内を通るとともに、前記突出部に固定された固定部材と、
【０００６】
前記第１筐体に設けられ、前記第１開口部を覆った覆い部材と、を備えた。
また、別の実施形態によれば、筐体と、開口部と、該開口部の周りから突出された突出部とが設けられ、前記筐体に少なくとも一部が収容された基板と、前記開口部内を通り、前記筐体の内面に面した固定部と、前記筐体側から前記開口部内を通り、前記固定部に固定された部品と、を備えた電子機器。
【図面の簡単な説明】
【０００７】
【図１】第１実施形態のテレビジョン受像機の外観を示す正面図である。
【図２】第１実施形態のテレビジョン受像機の構造を示す断面図である。
【図３】ミドルフレームの形状を示す正面図である。
【図４】第２実施形態のノートブック型ＰＣの外観を示す斜視図である。
【図５】第２実施形態のノートブック型ＰＣの外観を示す六面図である。
【図６】第２実施形態のノートブック型ＰＣの内部構造を示す斜視図である。
【図７】第１および第２の本体部の接続部の構造を示す斜視図である。
【図８】図７の接続部を拡大した斜視図である。
【図９】図７の接続部を拡大した断面図である。
【図１０】第２の本体部の外観を示す正面図である。
【図１１】第２の本体部の内部構造を示す正面図である。
【図１２】支持部材の形状および配置を示す正面図および背面図である。
【図１３】支持部材とキーボードの位置関係を示す正面図である。
【図１４】支持部材とバッテリの位置関係を示す背面図である。
【図１５】バッテリの構造を示す断面図である。
【図１６】第２の本体部の内部構造を示す背面図である。
【図１７】ビスの取り付け方法を説明するための断面図である。
【図１８】支持部材を構成する梁の向きについて説明するための正面図である。
【図１９】支持部材の開口部について説明するための正面図である。
【発明を実施するための形態】
【０００８】
以下、本発明の実施形態を、図面を参照して説明する。
（第１実施形態）
図１は、第１実施形態のテレビジョン受像機の外観を示す正面図である。
図１のテレビジョン受像機は、本体部（表示部）１０１と、脚部（スタンド、支持部、支部、台部）１０２を備えている。本実施形態では、脚部１０２が本体部１０１を支えている姿勢を基準に上下を定義している。また、ユーザからの視点を基準に左右を定義すると共に、ユーザに近い方を前、ユーザから遠い方を後と定義している。図１では、左から右、下から上、後から前に向かう方向を、それぞれＸ方向、Ｙ方向、Ｚ方向として示している。
【０００９】
本体部１０１は、筐体（覆部材、組合せ部材、部材、構成部品）１０３と、筐体１０３内に収容された表示装置（表示モジュール、表示ユニット、電子部品）１０４と、筐体１０３のフロント面（前面、表示画面側）に設けられた電源ボタン１０５およびリモコンセンサ１０６とを備えている。表示装置１０４は、筐体１０３のフロント面に露出した表示画面１０４ａを有している。表示画面１０４ａのＯＮ／ＯＦＦ操作は、電源ボタン１０５の押下や、リモコンの前部をリモコンセンサ１０６の方向に向けた状態でリモコンの電源ボタンを押下することで行うことが可能である。
【００１０】
筐体１０３は、第１から第４の端部（辺部、周部、周縁部、側部、壁、面、）１１１〜１１４を有する。第１の端部１１１は、脚部１０２が取り付けられた端部（底面、底壁、支持面、支持部、周壁）である。第２の端部（天板、上壁、壁、面、周壁）１１２は、第１の端部１１１の反対側に位置し、第１の端部１１１と略平行に延びている。また、第３の端部（側部、側面、側壁、周壁）１１３は、第１の端部１１１と第２の端部１１２とを繋ぐ端部であり、第１の端部１１１と略垂直な方向に延びている。第４の端部（側部、側面、側壁、周壁）１１４は、第３の端部１１３の反対側に位置し、第３の端部１１３と略平行に延びている。第４の端部１１４は、第３の端部１１３と同様、第１の端部１１１と第２の端部１１２とを繋いでいる。
【００１１】
第１および第２の端部１１１、１１２は、筐体１０３の長手方向に延びる端部である。一方、第３および第４の端部１１３、１１４は、筐体１０３の短手方向に延びる端部であり、第１および第２の端部１１１、１１２よりも短い。
【００１２】
脚部１０２が本体部１０１を支えている場合、第１から第４の端部１１１〜１１４はそれぞれ、筐体１０３の下端部、上端部、左端部、右端部となる。図１では、第１および第２の端部１１１、１１２は、Ｘ方向に略平行であり、第３および第４の端部１１３、１１４は、Ｙ方向に略平行である。なお、図１に示す直線ＣＬは、第１の端部１１１と第２の端部１１２との中心線を示す。
【００１３】
なお、本実施形態では、筐体１０３は、４つの端部１１１〜１１４を有しているが、筐体１０３の端部の個数は、３つ以下や５つ以上でもよい。また、第１の端部１１１と第２の端部１１２は、非平行に延びていてもよく、同様に、第３の端部１１３と第４の端部１１４は、非平行に延びていてもよい。
【００１４】
図２は、第１実施形態のテレビジョン受像機の構造を示す断面図である。
図２に示すように、筐体１０３は、フロント面（第１筐体の一部、第１の面、第１壁、壁、マスク）１１５と、バック面（第１筐体と組み合わされる第２筐体の一部、第２の面、第２壁、壁、カバー）１１６と、周面（第１筐体または第２筐体の一部、第３の面、第３壁、壁、マスクの一部又はカバーの一部、マスクとカバーに亘る部分）１１７とを有する。フロント面１１５は、表示画面１０４ａが露出した面である。バック面１１６は、フロント面１１５の反対側に位置する。また、周面１１７は、フロント面１１５の周縁部とバック面１１６の周縁部とを繋ぐ面である。
【００１５】
なお、本実施形態では、筐体１０３は、フロント面１１５と、バック面１１６と、周面１１７とを有する面構造を有しているが、筐体１０３は、上記以外の面構造を有していてもよい。
【００１６】
図２に示すように、本体部１０１はさらに、筐体１０３内に収容されたミドルフレーム（第１筐体の一部、筐体、支持部、支持面、支持壁、部品載置部、枠、中間部材、骨部材、プレート、補強部）１０７を備えている。ミドルフレーム１０７は、種々の部品を支持するための支持部材である。
【００１７】
ミドルフレーム１０７は、第１の支持面（第１の面、壁）１２１と、第２の支持面（第２の面、壁）１２２とを有する。第１の支持面１２１は、フロント面１１５側を向いた面である。第２の支持面１２２は、バック面１１６側を向いた面であり、第１の支持面１２１の反対側に位置する。
【００１８】
本体部１０１は、ミドルフレーム１０７の第１の支持面１２１上に配置された第１の電子部品１３１と、ミドルフレーム１０７の第２の支持面１２２上に配置された第２の電子部品１３２とを備えている。これらの電子部品１３１、１３２の例としては、半導体素子や回路素子が実装された回路基板などが挙げられる。該回路基板の一面とミドルフレーム１０７の支持面とは互いに近接（接する・インシュレータなどを挟んで略近接）した位置にある。なお、ミドルフレーム１０７の支持面１２１、１２２など、ミドルフレーム１０７の面、領域、部分、支持部上には、電子部品１３１、１３２以外の部品が配置されていてもよい。
【００１９】
本実施例では、このように回路基板の一面を筐体であるミドルフレーム１０７の支持面に近接した位置まで寄せる位置に固定する。具体的な固定方法は、図１７を参照しながら後述する。本実施例の固定構造を用いることで回路基板を挟んだ筐体同士の位置を近くすることが可能となる。
【００２０】
図３は、ミドルフレーム１０７の形状を示す正面図である。
図３に示すように、ミドルフレーム１０７は、第１から第４の端部（辺部、周部、周縁部、側部、壁、面）１２３〜１２６を有する。第１の端部（底面、底壁、支持面、支持部、周壁）１２３は、脚部１０２側に位置する端部である。第２の端部（天板、上壁、壁、面、周壁）１２４は、第１の端部１２３の反対側に位置し、第１の端部１２３と略平行に延びている。また、第３の端部（側部、側面、側壁、周壁）１２５は、第１の端部１２３と第２の端部１２４とを繋ぐ端部であり、第１の端部１２３と略垂直な方向に延びている。第４の端部１２６は、第３の端部１２５の反対側に位置し、第３の端部１２５と略平行に延びている。第４の端部（側部、側面、側壁、周壁）１２６は、第３の端部１２５と同様、第１の端部１２３と第２の端部１２４とを繋いでいる。
【００２１】
第１および第２の端部１２３、１２４は、ミドルフレーム１０７の長手方向に延びる端部である。一方、第３および第４の端部１２５、１２６は、ミドルフレーム１０７の短手方向に延びる端部であり、第１および第２の端部１２３、１２４よりも短い。
【００２２】
脚部１０２が本体部１０１を支えている場合、第１から第４の端部１２３〜１２６はそれぞれ、ミドルフレーム１０７の下端部、上端部、左端部、右端部となる。図３では、第１および第２の端部１２３、１２４は、Ｘ方向に略平行であり、第３および第４の端部１２５、１２６は、Ｙ方向に略平行である。
【００２３】
なお、本実施形態では、ミドルフレーム１０７は、４つの端部１２３〜１２６を有しているが、ミドルフレーム１０７の端部の個数は、３つ以下や５つ以上でもよい。また、第１の端部１２３と第２の端部１２４は、非平行に延びていてもよく、同様に、第３の端部１２５と第４の端部１２６は、非平行に延びていてもよい。
【００２４】
図３に示すように、ミドルフレーム１０７は、第１の支持面１２１から第２の支持面１２２に貫通する複数の開口部１０７ａと、開口部１０７ａ同士の間に設けられた梁（壁、サポート面、支持板、支持領域、中間部、柱部、橋部、補強部）１０７ｂとを有している。ミドルフレーム１０７は、これらの開口部１０７ａが設けられることで軽量化されている。
【００２５】
ミドルフレーム１０７は、開口部１０７ａとして、六角形の形状を有する開口部を有している。その結果、ミドルフレーム１０７は、ハニカム型の梁構造を有している。図３において、ミドルフレーム１０７の梁１０７ｂは、第３の端部１２５に平行（すなわち、Ｙ方向に平行）な第１の梁部分（部分、領域、延部、亘る部分）Ｂ1と、第１および第３の端部１２３、１２５に非平行（すなわち、Ｘ方向およびＹ方向に非平行）な第２の梁部分（部分、領域、延部、亘る部分）Ｂ2とを含んでいる。これらの梁部分Ｂ1、Ｂ2が、ハニカム型の梁構造を構成している。
【００２６】
以上のように、本実施形態のミドルフレーム１０７は、Ｙ方向に平行な第１の梁部分Ｂ1と、Ｘ方向およびＹ方向に非平行な第２の梁部分Ｂ2とを含むハニカム型の梁構造を有している。このようなハニカム型の梁構造は、Ｙ方向に平行な第１の梁部分Ｂ1と、Ｘ方向に平行な第２の梁部分Ｂ2とを含む升目型の梁構造に比べて、次のような利点がある。
【００２７】
第１に、ハニカム型の梁構造を有するミドルフレーム１０７は、升目型の梁構造を有する同重量のミドルフレーム１０７と比べて、ねじれ・撓み剛性が高くなる。
第２に、ハニカム型の梁構造を有するミドルフレーム１０７は、升目型の梁構造を有する同重量のミドルフレーム１０７と比べて、第１、第２の端部１２３、１２４側からの圧力や、第３、第４の端部１２５、１２６側からの圧力に対する剛性が高くなる。
【００２８】
第３に、ハニカム型の梁構造を有するミドルフレーム１０７によれば、升目型の梁構造を有するミドルフレーム１０７と同様に、ミドルフレーム１０７を軽量化することが可能となる。
【００２９】
このように、本実施形態によれば、梁構造の採用によりミドルフレーム１０７を軽量化しつつ、ミドルフレーム１０７の剛性を高めることが可能となり、その結果、テレビジョン受像機の軽量化と剛性の向上を実現することができる。
【００３０】
近年、テレビジョン受像機は、大型化、薄型化が急激に進展している。一般に、テレビジョン受像機の大型化は、テレビジョン受像機の重量化をもたらし、テレビジョン受像機の薄型化は、テレビジョン受像機の剛性の低下をもたらす。本実施形態によれば、ハニカム型の梁構造を有するミドルフレーム１０７を採用することで、テレビジョン受像機の大型化、薄型化に伴うこれらの問題に対処することが可能となる。
【００３１】
なお、ミドルフレーム１０７は、上記の梁構造以外の梁構造を有していてもよく、例えば、互いに非平行かつ非垂直な第１および第２梁部分Ｂ1、Ｂ2を含む梁構造を有していてもよい。このような梁構造の例としては、Ｘ方向に平行な第１の梁部分Ｂ1と、Ｘ方向およびＹ方向に非平行な第２の梁部分Ｂ2とを含むハニカム型の梁構造などが挙げられる。
【００３２】
また、上述のような軽量化や剛性の向上は、ミドルフレーム１０７に、上記の梁１０７ｂと同様に、Ｙ方向に平行な第１の部分Ｂ1と、Ｘ方向およびＹ方向に非平行な第２の部分Ｂ2とを含む支持部、補強部、凸部、突出部、肉厚部などを設けることでも実現可能である。支持部は、部品を支持する部分、補強部は、ミドルフレーム１０７を補強する部分である。また、凸部は、開口部１０７ａに対し凸形状を有する部分、突出部は、開口部１０７ａ内に突出した部分である。また、肉厚部は、ミドルフレーム１０７内で肉厚な部分である。
【００３３】
以上のように、本実施形態のミドルフレーム１０７は、第１または第３の端部１２３、１２５に平行な第１の梁部分Ｂ1と、第１および第３の端部１２３、１２５に非平行な第２の梁部分Ｂ2とを含む梁構造を有する。よって、本実施形態によれば、梁構造の採用によりミドルフレーム１０７を軽量化しつつ、ミドルフレーム１０７の剛性を高めることが可能となる。
【００３４】
なお、本実施形態は、テレビジョン受像機以外の電子機器、例えば、ノートブック型ＰＣ（Personal Computer）にも適用可能である。このようなノートブック型ＰＣの例を、第２実施形態にて説明する。
【００３５】
（第２実施形態）
図４は、第２実施形態のノートブック型ＰＣの外観を示す斜視図である。図４のノートブック型ＰＣは、テレビジョン受像機としても機能するＰＣでもよいし、テレビジョン受像機としては機能しないＰＣでもよい。
【００３６】
図４のＰＣは、第１の本体部（第１部分、第１部品収容部）２０１と、第２の本体部（第２部分、第２部品収容部）２０２を備えている。
第１の本体部２０１は、第１の筐体（覆い部材、部材、組立部品、部品、支持部、補強部）２１１と、第１の筐体２１１内に収容された表示装置（表示モジュール、表示ユニット、電子部品、部品）２１２とを備えている。表示装置２１２は、第１の筐体２１１のフロント面に露出した表示画面２１２ａを有している。図４に示す直線ＣＬ1は、第１の筐体２１１の中心線を示す。
【００３７】
第２の本体部２０２は、第２の筐体（覆い部材、部材、組立部品、部品、支持部、補強部）２１３と、第２の筐体２１３内に収容されたキーボード（入力部、入力受付部、受部、操作部、操作領域、インターフェイス部、入力モジュール、ユニット、部品）２１４と、第２の筐体２１３のフロント面に設けられたポインティングデバイス（入力部、入力受付部、受部、操作部、操作領域、インターフェイス部、入力モジュール、ユニット、部品、面、タッチセンサが機能する領域）２１５、クリックパッド（入力部、入力受付部、受部、操作部、操作領域、インターフェイス部、入力モジュール、ユニット、部品、面、タッチセンサが機能する領域）２１６、および指掛け部（開口部、段差部、凹部、引っ掛け部、凸部）２１７を備えている。キーボード２１４は、第２の筐体２１３のフロント面に露出した複数のキー２１４ａを有している。図４に示す直線ＣＬ2は、第２の筐体２１３の中心線を示す。また、直線ＣＬ3は、キーボード２１４の右手のホームポジションと左手のホームポジションとの境界線を示す。
【００３８】
本実施形態では、第２の本体部２０２を水平面に設置し、第１の本体部２０１をユーザに近い方から遠い方に開いた状態を基準に、第２の本体部２０２の左右、上下、前後を定義している。本実施形態では、水平面に平行な方向のうち、ユーザの左目と右目とを結ぶ直線に平行な方向を「左右」と定義すると共に、この直線に垂直な方向を「上下」と定義している。また、水平面に垂直な方向を「前後」と定義し、ユーザに近い方を前、ユーザから遠い方を後と定義している。図１では、左から右、下から上、後から前に向かう方向を、それぞれＸ方向、Ｙ方向、Ｚ方向として示している。
【００３９】
第２の筐体２１３は、第１から第４の端部（辺部、周部、周縁部、側部、壁、面）２２１〜２２４を有する。第１の端部（ヒンジとは反対側の端部、長手方向の端部、辺部、周部、周縁部、側部、壁、面）２２１は、指掛け部２１７が設けられた端部である。第２の端部（ヒンジ側の端部、辺部、周部、周縁部、側部、壁、面）２２２は、第１の筐体２１１と第２の筐体２１３との接続部が設けられた端部であり、第１の端部２２１の反対側に位置し、第１の端部２２１と略平行・平行に延びている。また、第３の端部（短手方向の端部、辺部、周部、周縁部、側部、壁、面）２２３は、第１の端部２２１と第２の端部２２２とを繋ぐ端部であり、第１の端部２２１と略垂直な方向に延びている。第４の端部（短手方向の端部、辺部、周部、周縁部、側部、壁、面）２２４は、第３の端部２２３の反対側に位置し、第３の端部２２３と略平行に延びている。第４の端部２２４は、第３の端部２２３と同様、第１の端部２２１と第２の端部２２２とを繋いでいる。
【００４０】
第１および第２の端部２２１、２２２は、第２の筐体２１３の長手方向に延びる端部である。一方、第３および第４の端部２２３、２２４は、第２の筐体２１３の短手方向に延びる端部であり、第１および第２の端部２２１、２２２よりも短い。
【００４１】
第２の本体部２０２を水平面に設置し、第１の本体部２０１をユーザに近い方から遠い方に開いた場合、第１から第４の端部２２１〜２２４はそれぞれ、第２の筐体２１３の下端部、上端部、左端部、右端部となる。図４では、第１および第２の端部２２１、２２２は、Ｘ方向に略平行であり、第３および第４の端部２２３、２２４は、Ｙ方向に略平行である。なお、図４に示す直線ＣＬ2は、第１の端部２２１と第２の端部２２２との中心線を示す。
【００４２】
なお、本実施形態では、第２の筐体２１３は、４つの端部２２１〜２２４を有しているが、第２の筐体２１３の端部の個数は、３つ以下や５つ以上でもよい。また、第１の端部２２１と第２の端部２２２は、非平行に延びていてもよく、同様に、第３の端部２２３と第４の端部２２４は、非平行に延びていてもよい。
【００４３】
また、本実施形態では、ホームポジションの境界線ＣＬ3は、中心線ＣＬ2よりも第３の端部２２３側に位置している。そのため、ポインティングデバイス２１５は、中心線ＣＬ2よりも第３の端部２２３側に重心が位置するように配置されている。また、左右のクリックパッド２１６の境界線は、中心線ＣＬ2よりも第３の端部２２３側に位置している。また、指掛け部２１７は、その左端と右端との中心点が中心線ＣＬ2よりも第３の端部２２３側に位置するように設置されている。指掛け部２１７は、ユーザがキーボード２１４を使用する際に指を掛けるための窪みである。
【００４４】
図５は、第２実施形態のノートブック型ＰＣの外観を示す六面図である。
図５(ａ)は、本実施形態のＰＣの正面図である。図５(ａ)には、第１の本体部２０１のバック面が示されている。また、図５(ｂ)は、本実施形態のＰＣの背面図である。図５(ｂ)には、第２の本体部２０２のバック面が示されている。また、図５(ｃ)、(ｄ)、(ｅ)、(ｆ)はそれぞれ、本実施形態のＰＣの上面図、下面図、左側面図、右側面図である。
【００４５】
図５(ｂ)に示す符号２１８は、第２の筐体２１３内に収容されたファンを示す。ファン２１８は、図５(ｂ)に示すように、第２の端部２２２に配置されており、ファン２１８の通気口が、第２の筐体２１３のバック面に設けられている。
【００４６】
図６は、第２実施形態のノートブック型ＰＣの内部構造を示す斜視図である。
図６に示すように、第２の筐体２１３の内部には、メイン回路基板（プリント配線板、回路基板、基板、電子部品、部品、モジュール）２３１と、バッテリ（電池、電源供給部、ユニット、充電部、部品、モジュール）２３２と、クリックボタン２３４用の回路基板２３３が収容されている。
【００４７】
メイン回路基板２３１は、ＣＰＵ（Central Processing Unit：中央演算装置）２３５などの半導体素子や回路素子が実装された回路基板である。メイン回路基板２３１は、第２の端部２２２に配置されている。なお、ファン２１８は、ＣＰＵ２３５などの半導体素子や回路素子を冷却するために使用されるため、メイン回路基板２３１と共に、第２の端部２２２に配置されている。
【００４８】
バッテリ２３２は、クリックボタン２３４用の回路基板２３３を挟んで、第１の端部２２１に配置されている。本実施形態では、第２の端部２２２側のスペースにメイン回路基板２３１を配置するため、残りの第１の端部２２１側のスペースにバッテリ２３２を配置する。
【００４９】
回路基板２３３は、クリックボタン２３４が実装された回路基板である。回路基板２３３は、第１の端部２２１に配置されている。具体的には、回路基板２３３は、Ｚ方向から見て、クリックパッド２１６とクリックボタン２３４が重なる位置に配置されている。
【００５０】
符号２１９は、第１の本体部２０１と第２の本体部２０２との接続部を示す。接続部２１９の詳細を、図７から図９に示す。図７は、接続部（ヒンジ部、ヒンジ機構、連結部）２１９の構造を示す斜視図である。図７(ａ)は、接続部２１９の第４の端部２２４側の部分を示し、図７(ｂ)は、接続部２１９の第３の端部２２３側の部分を示す。また、図８、図９はそれぞれ、図７の接続部２１９を拡大した斜視図および断面図である。本実施形態では、このような接続部２１９により第１の本体部（第１の筐体）２０１と第２の本体部（第２の筐体）２０２が接続されている。
【００５１】
なお、図９に示すように、第２の筐体２１３は、フロント面（第１の面、壁、上面、上壁、第１ケース、第１部品）２２５と、バック面（第２の面、壁、下面、底壁、第２ケース、第２部品）２２６と、周面（第３の面、周壁、側壁、壁、面、領域、側部、立壁）２２７を有する。フロント面２２５は、キーボード２１４が露出した面である。バック面２２６は、フロント面２２５の反対側に位置する。また、周面２２７は、フロント面２２５の周縁部とバック面２２６の周縁部とを繋ぐ面である。フロント面２２５は、図９に示すように、接続部２１９が入り込んだ窪み部を有している。
【００５２】
なお、本実施形態の第２の筐体２１３は、フロント面２２５と、バック面２２６と、周面２２７とを有する面構造を有しているが、第２の筐体２１３は、上記以外の面構造を有していてもよい。
【００５３】
図１０は、第２の本体部２０２の外観を示す正面図である。
図１０には、図４にて便宜上記載を省略した指紋認証デバイス２４１が示されている。指紋認証デバイス２４１は、第２の筐体２１３のフロント面に配置されており、より詳細には、第１の端部２２１においてマウスパッド２１６の間に配置されている。
【００５４】
上述のように、本実施形態では、ホームポジションの境界線ＣＬ3が、中心線ＣＬ2よりも第３の端部２２３側に位置している。そのため、指紋認証デバイス２４１は、中心線ＣＬ2よりも第３の端部２２３側に重心が位置するように配置されている。
【００５５】
（１）支持部材２４２の詳細
以下、図１１と図１２を参照し、支持部材２４２の詳細について説明する。
図１１に示すように、第２の本体部２０２は、第２の筐体２１３内に収容された支持部材２４２を備えている。支持部材２４２は、第２の筐体２１３内の種々の部品を支持するために使用されている。
【００５６】
支持部材２４２は、第１〜第４の端部２５３〜２５６を有する。第１の端部２５３は、第２の筐体２１３の第１の端部２２１側に位置する端部である。第２の端部２５４は、第１の端部２５３の反対側に位置し、第１の端部２５３と略平行に延びている。また、第３の端部２５５は、第１の端部２５３と第２の端部２５４とを繋ぐ端部であり、第１の端部２５３と略垂直な方向に延びている。第４の端部２５６は、第３の端部２５５の反対側に位置し、第３の端部２５５と略平行に延びている。第４の端部２５６は、第３の端部２５５と同様、第１の端部２５３と第２の端部２５４とを繋いでいる。
【００５７】
第１および第２の端部２５３、２５４は、支持部材２４２の長手方向に延びる端部である。一方、第３および第４の端部２５５、２５６は、支持部材２４２の短手方向に延びる端部であり、第１および第２の端部２５３、２５４よりも短い。
【００５８】
第２の本体部２０２を水平面に設置し、第１の本体部２０１をユーザに近い方から遠い方に開いた場合、第１から第４の端部２５３〜２５６はそれぞれ、支持部材２４２の下端部、上端部、左端部、右端部となる。図１１では、第１および第２の端部２５３、２５４は、Ｘ方向に略平行であり、第３および第４の端部２５５、２５６は、Ｙ方向に略平行・略平行である。
【００５９】
なお、本実施形態の支持部材（サポート、台部、支持部、支持面、支持壁）２４２は、４つの端部２５３〜２５６を有しているが、支持部材２４２の端部の個数は、３つ以下や５つ以上でもよい。また、第１の端部２５３と第２の端部２５４は、非平行に延びていてもよく、同様に、第３の端部２５５と第４の端部２５６は、非平行に延びていてもよい。
【００６０】
また、支持部材２４２は、図１２に示すように、第１の支持面（第１の面、領域、部分）２５１と、第２の支持面（第２の面、領域、部分）２５２とを有する。図１２は、支持部材２４２の形状および配置を示す正面図（図１２(ａ)）および背面図（図１２(ｂ)）である。第１の支持面２５１は、第２の筐体２０２のフロント面２２５側を向いた面である。第２の支持面２５２は、第２の筐体２０２のバック面２２６側を向いた面であり、第１の支持面２５１の反対側に位置する。なお、図１２に示す符号２４６は、第２の本体部２０２のパームレスト部（キーボードに対してヒンジ・ディスプレイとは反対側の壁・面・領域）に配置されたハニカム構造のリブ（突出部、支持壁、突起、立壁）を示す。
【００６１】
以下、図１１に戻り、支持部材２４２についての説明を続ける。
支持部材２４２は、第１の支持面２５１から第２の支持面２５２に貫通する複数の開口部２４２ａと、開口部２４２ａ同士の間に設けられた梁（壁、サポート面、支持板、支持領域、中間部、柱部、橋部）２４２ｂと、第１から第４の端部２５３〜２５６に設けられた凹部（開口部、立壁、段差部）２４２ｃとを有している。支持部材２４２は、これらの開口部２４２ａが設けられることで軽量化されている。
【００６２】
支持部材２４２は、開口部２４２ａとして、六角形の開口部を有している。その結果、支持部材２４２は、ハニカム型の梁構造を有している。図１１において、支持部材２４２の梁（壁、サポート面、支持板、支持領域、中間部、柱部、橋部）２４２ｂは、第３の端部２５５に平行（すなわち、Ｙ方向に平行）な第１の梁部分（部分、領域、延部、亘る部分）Ｂ1と、第１および第３の端部２５３、２５５に非平行（すなわち、Ｘ方向およびＹ方向に非平行）な第２の梁部分（部分、領域、延部、亘る部分）Ｂ2とを含んでいる。これらの梁部分Ｂ1、Ｂ2が、ハニカム型の梁構造を構成している。
【００６３】
なお、支持部材２４２は、開口部２４２ａとして、六角形の形状を有する第１の開口部Ａ1に加え、六角形を直線で切断した形状を有する第２の開口部Ａ1と、第１および第２の開口部Ａ1、Ａ2に該当しない形状を有する第３の開口部Ａ3とを有している。
【００６４】
次に、図１１を参照し、支持部材２４２と、メイン回路基板２３１、バッテリ２３２、キーボード２１４との位置関係について説明する。
メイン回路基板２３１は、第２の筐体２１３内において、支持部材２４２の第２の支持面２５２側に配置されている。また、メイン回路基板２３１は、第１の支持面２５１の方向、すなわちＺ方向から見て、支持部材２４２と部分的に重なる位置に配置されており、支持部材２４２により支持されている。メイン回路基板２３１と支持部材２４２は、ビス（固定具、結合部材、部品、止め部、支持部品、部材、ネジ）２４３、２４４により第２の筐体２１３に固定されている。
【００６５】
符号２４３は、支持部材２４２を貫通するビスを示す。また、符号２４４は、支持部材２４２の凹部２４２ｃに差し込まれたビスを示す。支持部材２４２の中央部と端部に取り付けられたこれらのビス２４３、２４３により、メイン回路基板２３１と支持部材２４２は、第２の筐体２１３に確実に固定されている。
【００６６】
図１１に示す符号Ｐ1は、１本の第１の梁部分Ｂ1と、２本の第２の梁部分Ｂ2との接点を示す。接点Ｐ1における梁２４２ｂの強度は、他の部分における梁２４２ｂの強度よりも強くなっている。本実施形態において、ビス２４３は、接点Ｐ1からずれた位置に取り付けられている。理由は、本実施形態では、接点Ｐ1を主に、各キー２４２ａの設置位置として利用しているからである。
【００６７】
また、符号２４５は、メイン回路基板２３１上の回路部品を示す。これらの回路部品２４５は、支持部材２４２からの圧力を避けるために、開口部２４２ａと重なる位置（梁部分と重ならない位置）に主に配置されている。第３の開口部Ａ3は例えば、第１、第２の開口部Ａ1、Ａ2内に納まらない回路部品２４５を収容するために利用される。
【００６８】
バッテリ２３２は、第２の筐体２１３内において、支持部材２４２の第２の支持面２５２側に配置されている。また、バッテリ２３２は、第１の支持面２５１の方向、すなわちＺ方向から見て、支持部材２４２と部分的に重なる位置に配置されている。このような配置には、キーボード２４２の打鍵時において、支持部材２４２からの圧力を、バッテリ２３２を介して筐体底壁まで伝達できるという利点がある。
【００６９】
図１１に示す囲い線Ｌは、キーボード２１４の輪郭線を示す。このように、本実施形態では、キーボード２１４の輪郭線Ｌは、支持部材２４２の輪郭線に概ね一致している。キーボード２１４は、第２の筐体２１３内において、支持部材２４２の第１の支持面２５１側に配置されており、支持部材２４２により支持されている。
【００７０】
本実施形態では、メイン回路基板２３１上のＣＰＵ２３５（図６参照）は、Ｚ方向から見て、キーボード２１４や支持部材２４２の輪郭線と重なる位置に配置されている。より詳細には、ＣＰＵ２３５は、支持部材２４２の第２の端部２５４と重なる位置に配置されている。このような配置には、ＣＰＵ２３５の設置位置が、ユーザの手が触れるキーボード２１４やパームレスト部から遠くなり、ＣＰＵ２３５の熱がユーザの手に伝わることを防止できるという利点がある。さらには、ファン２１８を、ユーザから離れた第２の筐体２１３の第２の端部２２２に配置できるという利点がある。
【００７１】
なお、支持部材２４２と、メイン回路基板２３１、バッテリ２３２、キーボード２１４との位置関係については、さらなる詳細を後述する。
次に、図１１を参照し、支持部材２４２の作製方法について説明する。
本実施形態では、支持部材２４２を、例えば金型成形により作製する。その際、本実施形態では、溶湯を、矢印Ｂに示す方向に流す。理由は、支持部材２４２の第３の端部２５５が第１の端部２５３よりも短いため、溶湯を矢印Ｂに示す方向に流すと、溶湯を矢印Ａに示す方向に流す場合に比べて、溶湯を流す距離が短くて済み、溶湯の温度低下を抑制するとともに製造時間の短縮が出来る。
【００７２】
また、本実施形態では、第１の梁部分Ｂ1を、第１の端部２５３に平行ではなく、第３の端部２５５に平行に設計している。理由は、溶湯を矢印Ｂに示す方向に流す場合に、溶湯が流れやすくなるからである。よって、本実施形態によれば、第１の梁部分Ｂ1を第３の端部２５５に平行に設計することで、支持部材２４２を金型成形で作製しやすくなる。
【００７３】
（２）第２実施形態の支持部材２４２の効果
次に、図１１を参照し、第２実施形態の支持部材２４２の効果について説明する。
以上のように、本実施形態の支持部材２４２は、Ｙ方向に平行な第１の梁部分Ｂ1と、Ｘ方向およびＹ方向に非平行な第２の梁部分Ｂ2とを含むハニカム型の梁構造を有している。このようなハニカム型の梁構造は、Ｙ方向に平行な第１の梁部分Ｂ1と、Ｘ方向に平行な第２の梁部分Ｂ2とを含む升目型の梁構造に比べて、次のような利点がある。
【００７４】
第１に、ハニカム型の梁構造を有する支持部材２４２は、升目型の梁構造を有する同重量の支持部材２４２と比べて、ねじれ剛性が高くなる。
第２に、ハニカム型の梁構造を有する支持部材２４２は、升目型の梁構造を有する同重量の支持部材２４２と比べて、第１、第２の端部２５３、２５４側からの圧力や、第３、第４の端部２５５、２５６側からの圧力に対する剛性が高くなる。
【００７５】
第３に、ハニカム型の梁構造を有する支持部材２４２によれば、升目型の梁構造を有する支持部材２４２と同様に、支持部材２４２を軽量化することが可能となる。
このように、本実施形態によれば、梁構造により支持部材２４２を軽量化しつつ、支持部材２４２の剛性を高めることが可能となり、その結果、ノートブック型ＰＣの軽量化と剛性の向上を実現することができる。
【００７６】
近年、ノートブック型ＰＣは軽量化、薄型化が進展しており、ユーザが持ち運んで使用するケースが増えている。このような軽量化、薄型化がさらに進展すると、ユーザがＰＣを片手でつかんで運ぶケースが増えると予想される。この場合、ＰＣのねじれ剛性が低いと、ユーザが片手で運ぶ際にＰＣがゆがんでしまうおそれがある。
【００７７】
しかしながら、本実施形態によれば、支持部材２４２のねじれ剛性が高くなるため、ＰＣの軽量化、薄型化に伴うこれらの問題に対処することが可能となる。また、本実施形態によれば、このような剛性の向上を、支持部材２４２の重量化を回避しつつ実現することが可能となる。
【００７８】
（３）メイン回路基板２３１、バッテリ２３２、キーボード２１４の配置
次に、図１３〜図１７を参照し、支持部材２４２と、メイン回路基板２３１、バッテリ２３２、キーボード２１４との位置関係について詳細に説明する。
図１３は、支持部材２４２とキーボード２１４との位置関係を示す正面図である。
本実施形態では、図１３に示すように、キーボード２１４のキー２１４ａは、おおむね梁２４２ｂと重なる位置に配置されている。このような配置には、キー２１４ａの打鍵時の圧力を、梁２４２ｂで受け止めることができるという利点がある。このような配置は、設計時に開口部２４２ａのサイズや位置を調整することで実現可能である。
【００７９】
なお、本実施形態では、できるだけ多くのキー２１４ａを、第１の梁部分Ｂ1と第２の梁部分Ｂ2との接点Ｐ1と重なる位置に配置することが望ましい。理由は、接点Ｐ1における梁２４２ｂの強度が、他の部分における梁２４２ｂの強度よりも強いからである。
【００８０】
図１４は、支持部材２４２とバッテリ２３２との位置関係を示す背面図である。また、図１５は、バッテリ２３２の構造を示す断面図である。図１５(ａ)は、Ｙ方向に沿ったバッテリ２３２の断面図であり、図１５(ｂ)は、Ｘ方向に沿ったバッテリ２３２の断面図である。
【００８１】
図１４に示すように、バッテリ２３２は、複数のセル２３２ａと、セル２３２ａ同士の間に設けられた梁２３２ｂを有している。そして、バッテリ２３２の梁２３２ｂは、第１の梁部分Ｂ1に平行な第３の梁部分Ｂ3と、第１の梁部分Ｂ1に非平行な第４の梁部分Ｂ4を含んでいる。具体的には、第３の梁部分Ｂ3は、Ｙ方向に平行に配置され、第４の梁部分Ｂ4は、Ｘ方向に平行に配置されている。
【００８２】
本実施形態では、一部の第３の梁部分Ｂ3が、第１の支持面２５１の方向、すなわちＺ方向から見て、第１の梁部分Ｂ1と重なる位置に配置されている。このような配置には、支持部材２４２からの荷重がセル２３２ａに掛かることを防止できるという利点がある。
【００８３】
なお、バッテリ２３２は、図１４に示すように、バッテリ２３２に向かって突出したハニカム構造のリブ２４６と重なる位置に配置されている。このリブ２４６にも、バッテリ２３２に掛かる荷重を低減する効果がある。
【００８４】
図１６は、第２の本体部２０２の内部構造を示す背面図である。
図１６には、支持部材２４２と、支持部材２４２の第２の支持面２５２側に配置された絶縁フィルム（インシュレータ、介在部、シート、中間部材）２４７が示されている。絶縁フィルム２４７は、支持部材２４２とメイン回路基板２３１との間に配置され、支持部材２４２とメイン回路基板２３１が直接接触すること、電気的にせつぞくされることを防いでいる。絶縁フィルム２４７は、フィルム以外の絶縁部材に置き換えてもよい。
【００８５】
図１６に示すように、支持部材２４２は、第２の支持面２５２側に突出した複数の突出部（ボス、固定部、凸部）Ｄを有している。突出部Ｄは、ビス２４３を差し込むための穴（開口部、固定部）を有している。突出部Ｄおよび突出部Ｄの穴は、図１６に示すように、おおむね円筒形の形状を有している。
【００８６】
図１７は、ビス２４３の取り付け方法を説明するための断面図である。
図１７に示すように、メイン回路基板２３１は、ビス２４３を差し込むための穴（開口部、貫通孔、通し部、切欠き部）と、該開口部の周囲を囲みメイン回路基板２３１表面から一方向に突出された筒状の部品（スタッド、離間部材、円筒部）２３１１を有している。該部品２３１１は、第２の筐体２１３と基板をと離間させる。該部品２３１１は、突出部Dの突出高さと略同一である。部品２３１１は、金属製であり、内表面に導電塗装された筐体と導通するとともにメイン回路基板２３のグランドを取る。ただし、メイン回路基板２３１の穴は、突出部Ｄの平面形状よりも大きいサイズを有している。よって、メイン回路基板２３１の穴には、突出部Ｄが差し込まれている。
【００８７】
突出部Ｄの高さは、おおむねメイン回路基板２３１と部品２３１１の厚さに揃えて（若干低く）設定されている（筐体同士をビスで締結した際にメイン回路基板２３１と部品２３１１に当接する構成となる）。よって、図１７に示すように、突出部Ｄの先端は、おおむねメイン回路基板２３１の第２の筐体２１３側の基板面付近に位置している。
【００８８】
一方、第２の筐体２１３は、ビス２４３の差し込み穴の周囲に、ビス２４３のヘッド部（突出部、張り出し部、傘部、支持部、留め部）を収容するための浅い窪み（凹部、開口部）を有している。そして、ビス２４３は、第２の筐体２１３の穴から突出部Ｄの穴に向けて挿入されている。こうして、支持部材２４２とメイン回路基板２３１が、第２の筐体２１３に固定されている。このようなビス２４３の一例が、例えば図５(ｂ)に示されている。
【００８９】
図１７に示すビス２４３の取り付け方法によれば、メイン回路基板２３１を間に挟んで第２の筐体２１３と支持部材２４２とを共締めした構造と比較して、第２の筐体２１３と支持部材２４２との間の距離を薄く出来る。具体的にはメイン回路基板２３１の厚さ分程度の厚さを薄くすることが可能となる。よって、この方法によれば、ノートブック型ＰＣや第１の実施例として記載したテレビジョン受像機等の回路基板を収容した機器の薄型化を促進することが可能となる。
【００９０】
本実施例の構成は、基板（メイン回路基板２３１）貫通穴に取り付けたスタッド（部品）２３１１の内側で、上下筺体をビス（ネジ）止めする構造である。またネジ止めした上下筺体でスタッド２３１１を押さえてメイン回路基板２３１を固定する。上下筺体とスタッドとメイン回路基板２３１のＧＮＤ接地ができる。また、本実施例の電子機器では、基板−筐体の固定構造のみではなく、メイン回路基板２３１とバッテリー共締め箇所にも同構造を適用している。具体的には、バッテリのネジ穴周辺を部品２３１１と同様の円筒状に突出させ、その間に突出部Dを通している。このような構成により、筐体全体の薄型化に貢献する。
【００９１】
また、本実施例では、部品であるスタッド２３１１を基板の片側のみに突出させている。この構成によりメイン回路基板２３１の一面を筐体に略近接させることが出来るが、この構成に限らず、基板表面に実装された部品の突出高さに合わせて、基板両面からのスタッド突出量を調整しても良い。
【００９２】
また、スタッド２３１１はメイン回路基板２３１にハンダ付けすることにより、メイン回路基板２３１との導通を確実にし、メイン回路基板２３１強度の向上にも貢献する。本実施例では、図１７に示す通りスタッド２３１１と上筐体間との間（スタッド内周面と、突出部Dの周面との間）にクリアランスを設けることにより、ネジ軸方向とは垂直な方向らPCBに加わる衝撃を緩和できる。
【００９３】
また、スタッド２３１１の一端は、筐体の上面側（キーボード側）で他の部品（キーボードや、図示しない加飾層、他の表面取り付け部品等）に覆われているため、意匠的に目立たない。
【００９４】
（４）支持部材２４２の開口部２４２ａの詳細
次に、図１８と図１９を参照し、支持部材２４２の開口部２４２ａについて詳細に説明する。
図１８は、支持部材２４２を構成する梁２４２ｂの向きについて説明するための正面図である。
本実施形態の支持部材２４２は、図１８(ａ)に示すように、Ｙ方向に平行な第１の梁部分Ｂ1と、Ｘ方向およびＹ方向に非平行な第２の梁部分Ｂ2とを含むハニカム型の梁構造を有している。しかしながら、支持部材２４２は、上記の梁構造以外の梁構造を有していてもよい。
【００９５】
支持部材２４２は例えば、図１８(ｂ)に示すように、Ｘ方向に平行な第１の梁部分Ｂ1と、Ｘ方向およびＹ方向に非平行な第２の梁部分Ｂ2とを含むハニカム型の梁構造を有していてもよい。
【００９６】
また、支持部材２４２は例えば、図１８(ｃ)に示すように、互いに非平行かつ非垂直な第１および第２梁部分Ｂ1、Ｂ2を含む梁構造を有していてもよい。図１８(ｃ)では、第１および第２梁部分Ｂ1、Ｂ2は、いずれもＸ方向およびＹ方向に非平行に設置されている。また、開口部２４２ａは、平行四辺形の形状を有している。
【００９７】
図１８(ｂ)や図１８(ｃ)に示す梁構造によれば、図１８(ａ)に示す梁構造と同様に、支持部材２４２の強度の向上と軽量化を両立することが可能となる。なお、支持部材２４２の開口部２４２ａは、六角形以外の形状を有していてよく、例えば、三角形、五角形、八角形の形状を有していてもよい。ただし、六角形の開口部２４２ａによる梁構造には、一般に、他の形状の開口部２４２ａによる同一重量の梁構造に比べ、強度が高いという利点がある。
【００９８】
図１９は、支持部材２４２の開口部２４２ａについて説明するための正面図である。
図１９に示す直線Ｌは、六角形の形状を有する開口部２４２ａの２つ隣の頂点同士を結んだ直線である。この直線Ｌにより、開口部２４２ａは、三角形と五角形に分断される。
【００９９】
また、符号Ｒ1は、開口部２４２ａ内における、上記の三角形よりも狭い領域を示し、符号Ｒ2は、開口部２４２ａ内における、上記の三角形よりも広い領域を示す。
【０１００】
本実施形態では、支持部材２４２に、図１１にて符号Ｐ3で示すように、領域Ｒ2のような開口部２４２ａは開けているが、符号Ｐ2で示すように、領域Ｒ1のような開口部２４２ａは開けていない。理由は、領域Ｒ1のような開口部２４２ａは、支持部材２４２の軽量化の効果が少ないからである。
【０１０１】
以上のように、本実施形態では、直線Ｌの切断位置を、開口部２４２ａを開けるか否かの閾値としているが、別の切断位置を閾値として使用しても構わない。
（５）第２実施形態の効果
最後に、第２実施形態の効果について説明する。
以上のように、本実施形態の支持部材２４２は、互いに非平行かつ非垂直な第１および第２梁部分Ｂ1、Ｂ2を含む梁構造を有する。よって、本実施形態によれば、第１実施形態と同様に、梁構造により支持部材２４２を軽量化しつつ、支持部材２４２の剛性を高めることが可能となる。
【０１０２】
なお、本実施形態は、テレビジョン受像機など、ノートブック型ＰＣ以外の種々の電子機器にも適用可能である。
以上、第１及び第２実施形態について説明したが、これらの実施形態は、例として提示したものであり、発明の範囲を限定することを意図したものではない。これらの実施形態は、その他の様々な形態で実施することができる。また、これらの実施形態に対し、発明の要旨を逸脱しない範囲内で、種々の省略、置換、変更を行うことにより、様々な変形例を得ることもできる。これらの形態や変形例は、発明の範囲や要旨に含まれており、特許請求の範囲及びこれに均等な範囲には、これらの形態や変形例が含まれる。
【符号の説明】
【０１０３】
１０１：本体部、１０２：脚部、１０３：筐体、１０４：表示装置、
１０４ａ：表示画面、１０５：電源ボタン、１０６：リモコンセンサ、
１０７：ミドルフレーム、１０７ａ：開口部、１０７ｂ：梁、
１１１：第１の端部、１１２：第２の端部、１１３：第３の端部、
１１４：第４の端部、１１５：フロント面、１１６：バック面、１１７：周面、
１２１：第１の支持面、１２２：第２の支持面、１２３：第１の端部、
１２４：第２の端部、１２５：第３の端部、１２６：第４の端部、
１３１：第１の電子部品、１３２：第２の電子部品、
２０１：第１の本体部、２０２：第２の本体部、
２１１：第１の筐体、２１２：表示装置、２１２ａ：表示画面、
２１３：第２の筐体、２１４：キーボード、２１４ａ：キー、
２１５：ポインティングデバイス、２１６：クリックパッド、
２１７、指掛け部、２１８：ファン、２１９：接続部、
２２１：第１の端部、２２２：第２の端部、２２３：第３の端部、
２２４：第４の端部、２２５：フロント面、２２６：バック面、２２７：周面、
２３１：メイン回路基板、２３２：バッテリ、２３２ａ：セル、２３２ｂ：梁、
２３３：回路基板、２３４：クリックボタン、２３５：ＣＰＵ、
２４１：指紋認証デバイス、２４２：支持部材、２４２ａ：開口部、２４２ｂ：梁、
２４２ｃ：凹部、２４３：ビス、２４４：ビス、
２４５：回路部品、２４６：リブ、２４７：絶縁フィルム、
２５１：第１の支持面、２５２：第２の支持面、２５３：第１の端部、
２５４：第２の端部、２５５：第３の端部、２５６：第４の端部、
【図１】
2013055166.tif 000003
【図２】
2013055166.tif 000004
【図３】
2013055166.tif 000005
【図４】
2013055166.tif 000006
【図５】
2013055166.tif 000007
【図６】
2013055166.tif 000008
【図７】
2013055166.tif 000009
【図８】
2013055166.tif 000010
【図９】
2013055166.tif 000011
【図１０】
2013055166.tif 000012
【図１１】
2013055166.tif 000013
【図１２】
2013055166.tif 000014
【図１３】
2013055166.tif 000015
【図１４】
2013055166.tif 000016
【図１５】
2013055166.tif 000017
【図１６】
2013055166.tif 000018
【図１７】
2013055166.tif 000019
【図１８】
2013055166.tif 000020
【図１９】
2013055166.tif 000021
【手続補正書】
【提出日】平成24年9月18日(2012.9.18)
【手続補正１】
【補正対象書類名】特許請求の範囲
【補正対象項目名】全文
【補正方法】変更
【補正の内容】
【特許請求の範囲】
【請求項１】
第１開口部が設けられた支持部材と、
第２開口部が設けられ、前記支持部材と組み合わされた筐体と、
前記支持部材と前記筐体との間に位置されて、前記支持部材と前記筐体との重なり方向で前記第１開口部と前記第２開口部とに連通した第３開口部と、この第３開口部の内周面に位置するとともに前記筐体の内面に向かって突出した筒状の囲み部とが設けられた基板と、
前記筐体の内面から前記第２開口部の内面を通るとともに、前記囲み部の内側に挿入された固定部材と、
前記支持部材側から前記第１開口部と前記第３開口部との内周面を通るとともに、前記固定部材に固定された突出部と、
前記支持部材の外面側に設けられ、前記第１開口部を覆った覆い部材と、
を備えた電子機器。
【請求項２】
請求項１の記載において、
前記基板の一面は、前記支持部材の内面と当接した電子機器。
【請求項３】
請求項１または２の記載において、
前記覆い部材は、外部入力を受け付ける部品である電子機器。
【請求項４】
筐体と、
開口部と、該開口部内から突出された突出部とが設けられ、前記筐体に少なくとも一部が収容された基板と、
前記開口部内を通り、前記筐体の内面に面した固定部と、
前記筐体側から前記開口部内を通り、前記固定部に固定された部品と、
を備えた電子機器。
【請求項５】
第１部材と、
開口部と、該開口部の内周面と前記第１部材との間に延びた延部とが設けられ、前記第１部材と重なった部品と、
前記第１部材とは反対側から前記部品と重なるとともに、前記部品の表面と少なくとも一部が接した第２部材と、
前記開口部内を通り、前記第１部材と前記第２部材と前記部品とを固定した固定部と、
を備えた電子機器。
【手続補正２】
【補正対象書類名】明細書
【補正対象項目名】０００５
【補正方法】変更
【補正の内容】
【０００５】
一の実施形態によれば、第１開口部が設けられた支持部材と、第２開口部が設けられ、前記支持部材と組み合わされた筐体と、前記支持部材と前記筐体との間に位置されて、前記支持部材と前記筐体との重なり方向で前記第１開口部と前記第２開口部とに連通した第３開口部と、この第３開口部の内周面に位置するとともに前記筐体の内面に向かって突出した筒状の囲み部とが設けられた基板と、前記筐体の内面から前記第２開口部の内面を通るとともに、前記囲み部の内側に挿入された固定部材と、前記支持部材側から前記第１開口部と前記第３開口部との内周面を通るとともに、前記固定部材に固定された突出部と、前記支持部材の外面側に設けられ、前記第１開口部を覆った覆い部材と、を備えた電子機器。
【手続補正３】
【補正対象書類名】明細書
【補正対象項目名】０００６
【補正方法】変更
【補正の内容】
【０００６】
また、別の実施形態によれば、筐体と、開口部と、該開口部内から突出された突出部とが設けられ、前記筐体に少なくとも一部が収容された基板と、前記開口部内を通り、前記筐体の内面に面した固定部と、前記筐体側から前記開口部内を通り、前記固定部に固定された部品と、を備えた電子機器。